(57)【要約】      （修正有）【課題】保温性が高く、かつ、通気性も良好であり、しかも、使用による身体への負担も少ない寝具用マットを提供する。【解決手段】連続発泡のプラスチック材料からなる方形板体であって、この板本体１の少なくとも一方の就寝面には、荷重によって表面が弾性変形しても通気可能な所要の幅および深さの通気溝11を設けるという技術的手段を採用した。保温性が非常に優れており、睡眠中の体温の低下を効果的に防止することができ、脊髄、関節およびその周辺組織の血液循環を促進せしめ、冷え性の予防や改善にも効果がある。【選択図】図１
0003142141.tif 000002
【実用新案登録請求の範囲】
【請求項１】
連続発泡のプラスチック材料からなる方形板体であって、この板本体１の少なくとも一方の就寝面には、荷重によって表面が弾性変形しても通気可能な所要の幅および深さの通気溝11が設けられていることを特徴とする寝具用マット。
【請求項２】
板本体１の通気溝11の形状が、菱形または四辺形の格子状であることを特徴とする請求項１記載の寝具用マット。
【請求項３】
板本体１の通気溝11は、平行する複数の直線溝群同士が互いに交差して成形されていることを特徴とする請求項２記載の寝具用マット。
【請求項４】
板本体１の両面に通気溝11が成形されていることを特徴とする請求項１〜３の何れか一つに記載の寝具用マット。
【請求項５】
複数の板本体１・１…を、側方に連接して一体に構成可能であることを特徴とする請求項１〜４の何れか一つに記載の寝具用マット。
【請求項６】
複数の板本体１・１…が、カバー部材２に形成された複数の袋部21・21…内にそれぞれ収容されて連接されることを特徴とする請求項５記載の寝具用マット。
【考案の詳細な説明】
【技術分野】
【０００１】
本考案は、寝具としてベッドなどに敷いて使用するマットの改良、更に詳しくは、保温性が高く、かつ、通気性も良好であり、しかも、使用による身体への負担も少ない寝具用マットに関するものである。
【背景技術】
【０００２】
周知のとおり、健康を維持する上では、毎日の睡眠が非常に重要であることから、近年では、寝具としてベッドなどに敷いて使用するマットにも様々な機能が要求されており、まず第一には、睡眠中に身体が冷えないようにする保温性を有することである。
【０００３】
また、第二に必要とされる機能は、マットに通気性を有することである。この通気性が無いと、身体から出る汗などの水分で蒸れてしまい、不快感を生じて熟睡の妨げになるからである。なお、通気性については、表面の凹凸による通気構造を有するものや躯体の材料自体に通気性を有するものが知られている（例えば、特許文献１参照）。
【０００４】
そして、第三に必要とされる機能は、マットには適度な剛性を有することであり、あまりに柔らかい材料（スポンジ状の多孔質発泡部材など）で作製すると（例えば、特許文献２参照）、横臥時に自重で身体がマットに沈み込んでしまい、無理な姿勢のままで固定されて、腰を傷めて腰痛を誘発するおそれがある。また、マットの内部にスプリングを埋設して弾性反発力を付与したものも存在するが、スプリングを配置した箇所が硬くて圧力が集中し易く、其処に当たる身体の局部が鬱血してしまうおそれがあった。
【０００５】
更に、前記特許文献１または２のように、マットの表面に波形の凹凸が成形されているものもあるが、この凹凸は、使用者の自重によってマットが弾性変形することによって凹凸が押し潰されて溝部分が塞がれてしまい、十分な通気性を確保することができないという問題があった。
【０００６】
しかしながら、通気性を確保するために溝を大きくし過ぎると、身体の接触面積が小さくなって寝心地が悪くなってしまうとともに、十分な保温性も得られなくなるという問題がある。
【特許文献１】特開２００４−１６６０２号公報（第３−５頁、第１−８図）
【特許文献２】登録実用新案第３１０３６１８号公報  （第４−５頁、図１−２）
【考案の開示】
【考案が解決しようとする課題】
【０００７】
本考案は、従来のマットに、上記のような問題があったことに鑑みて為されたものであり、その目的とするところは、保温性が高く、かつ、通気性も良好であり、しかも、使用による身体への負担も少ない寝具用マットを提供することにある。
【課題を解決するための手段】
【０００８】
本考案者が上記課題を解決するために採用した手段を添付図面を参照して説明すれば次のとおりである。
【０００９】
即ち、本考案は、連続発泡のプラスチック材料からなる方形板体であって、この板本体１の少なくとも一方の就寝面には、荷重によって表面が弾性変形しても通気可能な所要の幅および深さの通気溝11を設けるという技術的手段を採用した。
【００１０】
また、本考案は、上記課題を解決するために、必要に応じて上記手段に加え、板本体１の通気溝11の形状を、菱形または四辺形の格子状にするという技術的手段を採用した。
【００１１】
更にまた、本考案は、上記課題を解決するために、必要に応じて上記手段に加え、板本体１の通気溝11を、平行する複数の直線溝群同士を互いに交差させて成形するという技術的手段を採用した。
【００１２】
更にまた、本考案は、上記課題を解決するために、必要に応じて上記手段に加え、板本体１の両面に通気溝11を成形するという技術的手段を採用した。
【００１３】
更にまた、本考案は、上記課題を解決するために、必要に応じて上記手段に加え、複数の板本体１・１…を側方に連接して一体に構成可能にするという技術的手段を採用した。
【００１４】
更にまた、本考案は、上記課題を解決するために、必要に応じて上記手段に加え、複数の板本体１・１…を、カバー部材２に形成された複数の袋部21・21…内にそれぞれ収容して連接するという技術的手段を採用した。
【考案の効果】
【００１５】
本考案のマットによれば、連続発泡のプラスチック材料により成形されているので、保温性が非常に優れており、睡眠中の体温の低下を効果的に防止することができ、脊髄、関節およびその周辺組織の血液循環を促進せしめ、冷え性の予防や改善にも効果がある。また、保温性が良いため、暖房器具などが不要となり、省エネルギーにも貢献することができる。
【００１６】
また、マットが適度な剛性を有しているので、身体が沈み込み過ぎることが無く、最も自然な良い姿勢を保つことができて、腰などの関節への影響が少なく、寝違いや腰痛を起こすおそれが無い。
【００１７】
更にまた、板本体の少なくとも一方の就寝面に、荷重によって表面が弾性変形しても通気可能な所要の幅および深さの通気溝を設けたことによって、板本体の剛性と通気溝の幅および深さが相俟って、使用者の自重により弾性変形しても、通気溝を塞ぐことがなく、良好な通気性を確保することができる。
【００１８】
更にまた、本考案のマットは、発泡ビーズを凝集せしめて、ホットプレスして成形することもできるので、簡素な工程で非常に安価なコストで製造することができる。
【００１９】
更にまた、発泡プラスチック材料を圧縮して成形することにより、適度なバネ弾性と柔軟性とを兼備しつつ、比較的に高密度であるため、表面に撥水性を有し、独立気泡構造にすると、内部に汚れが染み込むことがないことから、介護用品などとしても積極的に活用することできることから、寝具用マットとしての実用的利用価値は頗る高いと云える。
【考案を実施するための最良の形態】
【００２０】
本考案を実施するための最良の形態を具体的に図示した図面に基づいて更に詳細に説明すると、次のとおりである。
【００２１】
本考案の実施形態を図１から図６に基づいて説明する。図中、符号１で指示するものはマットの板本体であり、この板本体１は、連続発泡のプラスチック材料からなる方形板体であって、この板本体１の少なくとも一方の就寝面には通気溝11が設けられている（図１参照）。
【００２２】
本実施形態では、連続気泡のプラスチック材料として、発泡ポリエチレンを採用するとともに、この通気溝11を、荷重によって表面が弾性変形しても通気可能な所要幅および深さに設ける。
【００２３】
更に、本実施形態では、板本体１の通気溝11の形状を菱形または四辺形の格子状にするとともに、この通気溝11を板本体１の両面に設ける。この通気溝11は、平行する複数の直線溝群同士を互いに交差して菱形または格子を成形することができる。
【００２４】
本実施形態では、板本体１の通気溝11の形状を菱形または四辺形の格子状にすることによって、載荷圧力を適度に分散させることができるともに、好ましくは、平行する複数の直線溝群同士を互いに交差させて菱形に成形することによって、通気道を直線化して、通気効率を向上させることができる。
【００２５】
また、通気溝11を板本体１の両面に設けることによって、使用を重ねていくうちに体型の形状が表面に残存した場合であっても、裏返しにしてリバーシブルに使用できるとともに、全体重量をより軽くすることもできる。
【００２６】
＜使用方法について＞
次に、本実施形態のマットの使用方法について説明する。まず、本実施形態では、板本体１を搬送性などの使い勝手を考慮したサイズ（例えば、１０００ｍｍ×６６５ｍｍ）に成形し、複数の板本体１・１…（本実施形態では、３枚）を、側方に連接して一体に構成して使用する（図２参照）。
【００２７】
この際、これらの複数の板本体１・１…を、カバー部材２に形成された複数の袋部21・21…内にそれぞれ収容して連接することができ（図３参照）、使用時の板本体１・１…の位置ズレを防止したり、カバー部材２をシーツ替わりにして板本体１への汚れの付着を防止することができる。
【００２８】
本実施形態では、前記カバー部材２を、一枚の長手の生地を折り返して縫製することにより、継ぎ目20・20…を縫合して複数の袋部21・21…を形成して強度を向上せしめるとともに、使用材料としては、例えば、極細ナイロン繊維織物などの高吸水性の生地を採用することができる。また、カバー部材２における袋部21・21…間における継目20・20…を交互に折返して折り畳み可能であり、コンパクトにまとめることができるので、嵩張らずに使い勝手が良い。
【００２９】
そして、図４に示すように、ベッドＢの上に本実施形態の板本体１・１…を敷設するとともに、更にその上には、シーツや毛布、ゴザなどの比較的薄手の敷物を敷いて、その上に横たわって寝ることができる。また、この際、適宜、足元に電気毛布やアンカなどの温熱器具Ｈを併用して載置することも可能である。
【００３０】
本実施形態では、このように使用者が横たわった場合に、荷重によって表面が弾性変形するが、板本体１が適度な剛号りを有しており、かつ、通気溝11に所要幅および深さをもたせて設けたことにより、通気溝11が押し潰されて通気性を損なうことがない。
【００３１】
したがって、使用者が睡眠中に発汗した場合であっても、十分な通気道を確保しているので、蒸れることがなく、快適に熟睡することができる。
【００３２】
そして、マットの上に横たわって、姿勢を正すとともに、手足を運動させて身体の各部を温めることができ、かかる運動を連日繰り返していくことによって、冷え性などを徐々に改善していくことができる。
【００３３】
また、複数の板本体１・１…の表裏および配置位置（頭・胴・足側）をローテーションさせて使用することにより、自重および体型による表面の凹みの残存をできるだけ少なくすることができる。
【００３４】
＜製造方法について＞
次に、本考案のマットの製造方法を図５に基づいて説明する。まず、原料となるポリエチレン製の発泡ビーズを径１０ｍｍ程度の球状に予備発泡させるとともに、これらの発泡粒子を平板状の金型に入れて圧縮して原板を作製する。
【００３５】
然る後、この原板に、通気溝11と凹凸が逆転した加熱板体を用いてヒートプレス加工することによって（本実施形態では両面）、板本体１の表面に通気溝11を成形する。
【００３６】
なお、図示しないが、原板を作製するにあっては、発泡粒子を直方体状の金型に入れて圧縮してブロック体を成形し、このブロック体を裁断機などのカッターを用いて所定の厚さにスライスする手段を採用することができる。
【００３７】
また、発泡プラスチックを板状に連続押出成形して、所要長さに裁断するという手段を採用することもできる。
【００３８】
また、通気溝11は、原板の表面に削り出し加工を施して成形するものであっても良い。
【００３９】
本考案は、概ね上記のように構成されるが、本考案は図示の実施形態に限定されるものでは決してなく、「実用新案登録請求の範囲」の記載内において種々の変更が可能であって、例えば、板本体１の使用材料は発泡ポリエチレンに限らず、ポリスチレンやポリウレタン、ポリプロピレンなどのプラスチック製連続気泡体でもよいし、その他の高断熱性材料を採用することができる。
【００４０】
また、板本体１の通気溝11の形状は、菱形のものに限らず、図６（ａ）（ｂ）に示すような正方形の格子状にしたり、溝の向きや傾きを板本体１の縁部に対して任意の角度することもでき、これら何れのものも本考案の技術的範囲に属する。
【図面の簡単な説明】
【００４１】
【図１】本考案の実施形態の寝具用マットを表わす全体斜視図である。
【図２】本考案の実施形態の寝具用マットの使用状態を表わす正面図である。
【図３】本考案の実施形態の寝具用マットの使用状態を表わす斜視図である。
【図４】本考案の実施形態の寝具用マットの使用状態を表わす側面図である。
【図５】本考案の実施形態の寝具用マットの製造工程を表わす概略図である。
【図６】本考案の実施形態の寝具用マットの変形例を表わす正面図である。
【符号の説明】
【００４２】
１    板本体
11    通気溝
２    カバー部材
20    継目
21    袋部
Ｂ    ベッド
Ｈ    温熱器具
Ｓ    敷物
【図１】
0003142141.tif 000003
【図２】
0003142141.tif 000004
【図３】
0003142141.tif 000005
【図４】
0003142141.tif 000006
【図５】
0003142141.tif 000007
【図６】
0003142141.tif 000008